(57)【要約】【課題】冷却ファンが送風する空気の風速を長期に亘って安定して測定する風速測定部を備えたプロジェクタを提供する。【解決手段】プロジェクタは、冷却対象に空気を送風する冷却ファンと、冷却ファンから送風される空気の一部が流入口６１３から流入して流出口６１４から流出する測定ダクト部６１と、異物の通過を阻止する形状の通気孔を有し、流入口６１３、流出口６１４をそれぞれ覆う上流風速調整部６２、下流風速調整部６３と、測定ダクト部６１内に配置され、測定ダクト部６１内を流通する空気の風速を測定する風速測定部６４と、を備えている。【選択図】図７
2009282095.tif 000002
【特許請求の範囲】
【請求項１】
光源から射出された光束を画像情報に応じて変調して画像光を形成し、前記画像光を投写するプロジェクタであって、
冷却対象に空気を送風する冷却ファンと、
空気が流入する流入口、および空気が流出する流出口を有し、前記冷却ファンから送風される空気の一部が前記流入口から流入して前記流出口から流出するダクト部と、
異物の通過を阻止する形状の通気孔を有し、前記流入口および前記流出口を覆う風速調整部と、
前記ダクト部内に配置され、前記ダクト部内を流通する空気の風速を測定する風速測定部と、
を備えていることを特徴とするプロジェクタ。
【請求項２】
請求項１に記載のプロジェクタであって、
前記風速調整部は、前記冷却ファンから送風される空気の風速を、前記風速測定部が測定可能な風速に低減することを特徴とするプロジェクタ。
【請求項３】
請求項１または請求項２に記載のプロジェクタであって、
前記風速調整部は、前記ダクト部に対して着脱可能に構成されていることを特徴とするプロジェクタ。
【発明の詳細な説明】
【技術分野】
【０００１】
本発明は、画像光を投写するプロジェクタに関する。
【背景技術】
【０００２】
従来、光源から射出された光束を光変調装置にて画像情報に応じて変調して画像光を形成し、その画像光をスクリーン等に投写するプロジェクタが知られている。
プロジェクタには、光源の点灯に伴う光源自身や光変調装置等の内部部品の温度上昇を抑制するために、これらの冷却対象に空気を送風する冷却ファンが備えられている。この冷却ファンの中には、外気を取り込み、取り込んだ外気を冷却対象に送風する冷却ファンがある。
この冷却ファンが外気を取り込むために、プロジェクタの外装を構成する外装筐体には、外気と連通する吸気口が設けられている。そして、この吸気口には、外気に混在する塵埃等の侵入を抑制するために防塵フィルタが配置されている。この防塵フィルタは、プロジェクタが長期間使用されることによって、塵埃等が次第に積層され、徐々に外気を通過する能力が低下するため、交換可能に構成されている。
この防塵フィルタの目詰まりの監視や、冷却ファンの駆動電圧の制御のために風速測定部（風速センサ）を用いた技術が提案されている（例えば、特許文献１参照）。
【０００３】
特許文献１の技術は、風速測定部と制御部とを備えている。
風速測定部は、冷却ファンが送風する空気の風速を測定する。
制御部は、風速測定部の測定結果に基づいて、防塵フィルタ（フィルタ）の目詰まりを監視して防塵フィルタの交換を促すメッセージ表示の制御や、冷却ファンの駆動電圧の制御等を行う。
【０００４】
【特許文献１】特開２００７−３０４４８１号公報
【発明の開示】
【発明が解決しようとする課題】
【０００５】
しかしながら、特許文献１に記載の技術は、小型の節足動物等の異物が排気口等の開口部から外装筐体内に侵入した場合、その異物がさらに風速測定部に侵入する虞がある。風速測定部に異物が侵入して冷却ファンが送風する空気を遮ると、風速測定部は、風速を正確に測定することができなくなる。このため、フィルタが目詰まりしていない状態にもかかわらず、交換を促すメッセージを表示させたり、冷却ファンの駆動電圧を適正に制御できず、冷却対象が温度上昇して品質劣化する虞がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクタは、光源から射出された光束を画像情報に応じて変調して画像光を形成し、前記画像光を投写するプロジェクタであって、冷却対象に空気を送風する冷却ファンと、空気が流入する流入口、および空気が流出する流出口を有し、前記冷却ファンから送風される空気の一部が前記流入口から流入して前記流出口から流出するダクト部と、異物の通過を阻止する形状の通気孔を有し、前記流入口および前記流出口を覆う風速調整部と、前記ダクト部内に配置され、前記ダクト部内を流通する空気の風速を測定する風速測定部と、を備えていることを特徴とする。
ここで異物とは、風速測定部の風速を測定するための流路を塞いだり、その流路に侵入することが可能な大きさの節足動物等の小動物のことをいう。
【０００８】
このプロジェクタによれば、風速測定部は、ダクト部内に配置、つまりダクト部および風速調整部によって囲まれているので、異物が風速測定部の流路に侵入することが抑制される。
これによって、風速測定部は、その流路が遮られることが抑制され、ダクト部を流通する空気の風速を安定して測定することが可能となる。風速測定部は、冷却ファンから送風される空気の風速を測定するので、プロジェクタは、冷却ファンが冷却対象に適正に空気を送風しているか否かを長期に亘って観察することが可能となる。したがって、プロジェクタは、風速測定部の測定結果に基づいて、適正に冷却対象に空気を送風するように対応することが可能となり、長寿命化が図れる。
【０００９】
［適用例２］上記適用例に係るプロジェクタにおいて、前記風速調整部は、前記冷却ファンから送風される空気の風速を、前記風速測定部が測定可能な風速に低減することが好ましい。
【００１０】
このプロジェクタによれば、風速調整部は、冷却ファンから送風される空気の風速を風速測定部が測定可能な風速に低減するので、ダクト部を流通する空気の風速を安定して測定することが可能となる。
【００１１】
［適用例３］上記適用例に係るプロジェクタにおいて、前記風速調整部は、前記ダクト部に対して着脱可能に構成されていることが好ましい。
【００１２】
このプロジェクタによれば、風速調整部は、ダクト部に対して着脱可能に構成されているので、風速調整部に異物等が積層して通気性が低下した際に交換することができる。これによって、さらにプロジェクタの長寿命化を図ることが可能となる。
【発明を実施するための最良の形態】
【００１３】
以下、本発明の実施形態に係るプロジェクタについて、図面を参照して説明する。
本実施形態のプロジェクタは、光源から射出された光束を画像信号に応じて変調して画像光を形成し、その画像光をスクリーン等に拡大投写するものであり、光源の点灯に伴う温度上昇を抑制するために、外装筐体内に外気を取り入れて本体を冷却することができるようになっている。
図１および図２は、本実施形態のプロジェクタの外観を示す図であり、図１は、右前方上側から見た斜視図、図２は、左前方上側から見た斜視図である。なお、以下では、説明の便宜上、図１における図面視において、右を「右」（＋Ｘ方向）、前を「前」（＋Ｙ方向）、上を「上」（＋Ｚ方向）として記載する。
【００１４】
図１および図２に示すように、プロジェクタ１は、本体が外装筐体２で囲まれた構成になっている。
外装筐体２は、合成樹脂製であり、上面、前面および背面を構成するアッパーケース２１と、下面を構成するロアーケース２２（図３参照）と、右側（＋Ｘ方向）の側面を構成する右サイドケース２３と、左側（−Ｘ方向）の側面を構成する左サイドケース２４とを備えており、これらは、互いにネジ等により固定されている。
【００１５】
アッパーケース２１の上面２１Ａの左後方には、後述する光学ユニットを構成する光源装置３１（図４参照）の交換用の開口部が形成されており、この開口部は、蓋状部材２５で閉塞されている。また、上面２１Ａの前方略中央部には、投写レンズ３６（図４参照）のフォーカス調整、およびズーム調整の操作を行うための開口部が形成されており、その開口は、開閉可能なカバー２６によって閉塞されている。さらに、上面２１Ａには、操作部２７が設けられている。操作部２７は、プロジェクタ１の各種設定を行うためのメニュー画像の表示／非表示を切り換えるメニューキー、入力ソースを切り換えるソース切換えキー等、各種指示を行うための複数のキー等を備えている。
【００１６】
アッパーケース２１の前面２１Ｂには、略円形状の開口部が形成されており、この開口部は、光透過部材２８で閉塞されている。投写レンズ３６は、この光透過部材２８の内側に配置されており、投写レンズ３６から射出された画像光は、この光透過部材２８を透過して外部に投写される。
【００１７】
右サイドケース２３には、略矩形の開口部（図示せず）が形成されており、この開口部は、後述する冷却ファンが外部から外装筐体２内部に空気を取り込むための吸気口である。吸気口には、図示しない防塵フィルタが配置され、外部の塵埃等が外装筐体２内部に侵入しないように構成されている。防塵フィルタは、複数の矩形状の孔が設けられたフィルタ枠２９によって右サイドケース２３に保持されており、フィルタ枠２９を着脱することによって、交換可能に構成されている。
【００１８】
図２に示すように、左サイドケース２４には、矩形状の孔が複数設けられており、この孔は、光源の点灯に伴って温まった外装筐体２内の空気を排出するための排気口である。
【００１９】
図３は、プロジェクタ１の内部構成を示す斜視図であり、アッパーケース２１を取り外した図である。
図３に示すように、プロジェクタ１は、外装筐体２の内部に制御部（図示せず）、光学ユニット３、制御部等の電子部品に電力を供給する電源ユニット４、光学部品等を冷却する冷却ユニット５、および冷却ユニット５に備えられた冷却ファンから送風される空気の風速を測定する風速測定装置６（図５参照）等が配置されている。
【００２０】
制御部は、ＣＰＵ（Central Processing Unit）やＲＯＭ（Read Only Memory）、ＲＡＭ（Random Access Memory）等を備え、コンピュータとして機能するものであり、プロジェクタ１の動作の制御、例えば、画像の投写に関わる制御、冷却ファンの駆動電圧制御、風速測定装置６の測定結果に基づく制御等を行う。
【００２１】
光学ユニット３は、図３に示すように、外装筐体２の略中央部に配置され、制御部による制御の下、光源から射出された光束を光学的に処理し、画像情報に応じた画像光を形成して投写する。
図４は、光学ユニット３を模式的に示す図である。
図４に示すように、光学ユニット３は、光源装置３１、照明光学装置３２、色分離光学装置３３、リレー光学装置３４、電気光学装置３５、投写光学装置としての投写レンズ３６およびこれら各光学部品３１〜３６を所定位置に配置する光学部品用筐体３７を備える。
【００２２】
光源装置３１は、超高圧水銀ランプやメタルハライドランプ等からなる放電型の光源３１１およびリフレクタ３１２等を備える。そして、光源装置３１は、光源３１１から射出された光束をリフレクタ３１２によって射出方向を揃え、照明光学装置３２に向けて射出する。
【００２３】
照明光学装置３２は、第１レンズアレイ３２１、第２レンズアレイ３２２、偏光変換素子３２３、重畳レンズ３２４を備える。第１レンズアレイ３２１は、光軸Ｌ方向から見て略矩形の輪郭を有する小レンズがマトリクス状に配列された構成を有しており、光源装置３１から射出された光束を複数の部分光束に分割する。第２レンズアレイ３２２は、第１レンズアレイ３２１と略同様の構成を有しており、重畳レンズ３２４とともに、部分光束を後述する液晶パネル３５２の表面に略重畳させる。偏光変換素子３２３は、第２レンズアレイ３２２から射出されたランダム偏光光を液晶パネル３５２で利用可能な略１種類の偏光光に揃える機能を有する。
【００２４】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
第１のダイクロイックミラー３３１は、Ｂ光を反射させると共に、Ｇ光およびＲ光を透過する。第１のダイクロイックミラー３３１で反射したＢ光は、反射ミラー３３３で反射され、Ｂ光用の液晶パネル３５２Ｂに入射する。第２のダイクロイックミラー３３２は、Ｇ光を反射させると共に、Ｒ光を透過する。そして、第１のダイクロイックミラー３３１を透過したＧ光とＲ光のうちＧ光は、第２のダイクロイックミラー３３２によって反射され、Ｇ光用の液晶パネル３５２Ｇに入射する。一方、Ｒ光は、第２のダイクロイックミラー３３２を透過し、リレー光学装置３４に入射する。
【００２５】
リレー光学装置３４は、入射側レンズ３４１、リレーレンズ３４３、および反射ミラー３４２，３４４を備え、第２のダイクロイックミラー３３２を透過したＲ光をＲ光用の液晶パネル３５２Ｒまで導く機能を有する。
第２のダイクロイックミラー３３２を透過したＲ光は、入射側レンズ３４１によってリレーレンズ３４３近傍で収束し、反射ミラー３４４に向かって発散する。反射ミラー３４４に入射する光束の大きさは、入射側レンズ３４１に入射する光束の大きさに略等しくなるように設定されている。このように、Ｒ光にリレー光学装置３４が用いられているのは、Ｒ光の光路の長さが他の色光の光路の長さよりも長いため、光の発散等による光の利用効率の低下を防止するためである。なお、光学ユニット３は、リレー光学装置３４がＲ光を導く構成としているが、これに限らず、例えば、Ｂ光を導く構成としてもよい。
【００２６】
電気光学装置３５は、入射した光束を画像情報に応じて変調して画像光を形成するものである。この電気光学装置３５は、３つの光変調装置としての液晶パネル３５２Ｒ，３５２Ｇ，３５２Ｂと、各液晶パネル３５２の光路前段側に配置される入射側偏光板３５１と、各液晶パネル３５２の光路後段側に配置される射出側偏光板３５３と、色合成光学装置としてのクロスダイクロイックプリズム３５４とを備える。
【００２７】
入射側偏光板３５１は、色分離光学装置３３で分離された各光束のうち、偏光変換素子３２３で揃えられた偏光方向と略同一の偏光方向を有する偏光光のみ透過させ、その他の光束を吸収するものであり、透光性基板上に偏光膜が貼付されて構成されている。
液晶パネル３５２は、一対の透明なガラス基板に電気光学物質である液晶が密閉封入された構成を有し、制御部からの駆動信号に応じて、液晶の配向状態が制御され、入射側偏光板３５１から射出された偏光光束の偏光方向を変調する。
射出側偏光板３５３は、入射側偏光板３５１と略同様の機能を有し、液晶パネル３５２を介して射出された光束のうち、一定方向の偏光光を透過し、その他の光束を吸収する。
【００２８】
クロスダイクロイックプリズム３５４は、４つの直角プリズムを貼り合わせた平面視略正方形状をなし、直角プリズム同士を貼り合わせた界面には、２つの誘電体多層膜が形成されている。そして、クロスダイクロイックプリズム３５４は、射出側偏光板３５３から射出された各色光を取り込んで合成し、画像光を形成して投写レンズ３６に射出する。
【００２９】
投写レンズ３６は、複数のレンズを組み合わせた組レンズとして構成され、電気光学装置３５にて形成された画像光をスクリーン上に拡大投写する。
【００３０】
図３に戻って、電源ユニット４は、光学ユニット３の前方左側に配置されており、ＥＭＩ（ElectroMagnetic Interference）対策のため、電磁シールド材４１によって覆われている。電源ユニット４は、詳しい図示を省略するが、電源ブロックと光源駆動ブロックとを備え、制御部等の電子部品および光源３１１に電力を供給する。
【００３１】
冷却ユニット５は、外気を外装筐体２の内部に取り込んで、その空気を光学部品や電子部品等の発熱部品である冷却対象に送風して冷却し、温まった外装筐体２内の空気を外部に排出する。この冷却ユニット５は、第１冷却部５１、第２冷却部５２、第３冷却部５３、および排気ユニット５４とを備えて構成されている。
【００３２】
第１冷却部５１は、右サイドケース２３の内側に配置され、吸気口から取り込んだ外気を外装筐体２内部に取り込んで、液晶パネル３５２等の光学部品を冷却する。
第２冷却部５２は、投写レンズ３６と電源ユニット４との間に配置された軸流ファン５２１を有して構成され、外装筐体２内の空気を電源ユニット４に送風して、電源ユニット４を冷却する。
第３冷却部５３は、光学ユニット３の後方にシロッコファン５３１を有して構成され、外装筐体２内の空気を図示しないダクトを介して光源装置３１に送風し、光源３１１を冷却する。
排気ユニット５４は、左サイドケース２４の内側に配置され、排気ファンとしての軸流ファン５４１、排気ダクト５４２を有して構成されている。排気ユニット５４は、第１冷却部５１、第２冷却部５２および第３冷却部５３によって送風され、光学部品および電源ユニット４を冷却した空気を、排気口を介して外部に排気する。
【００３３】
ここで、第１冷却部５１の構成について詳細に説明する。
図３に示すように、第１冷却部５１は、右サイドケース２３の内側から光学ユニット３の下方に亘って設けられており、上部の一部は、第１ダクト５１１で構成されている。
図５、図６は、第１冷却部５１の一部を示す斜視図である。具体的に、図５は、第１ダクト５１１を取り外した状態を上方から見た斜視図であり、図６は、下方から見た斜視図である。
第１冷却部５１は、第１ダクト５１１に加えて、図５、図６に示すように、ベースダクト５１２、第２ダクト５１３、冷却ファンとしてのシロッコファン５１４，５１５を有して構成されている。
【００３４】
第１ダクト５１１は、図３に示すように、右サイドケース２３の内側に前方から後方に亘って吸気口を覆うように箱状に形成され、右側（＋Ｘ方向）は、右サイドケース２３の上端近傍まで延出し、左側（−Ｘ方向）は、光学ユニット３の右端下部近傍に位置するように形成されている。
【００３５】
ベースダクト５１２は、図５に示すように、外形が略矩形状をしており、第１ダクト５１１の下方に配置されている。ベースダクト５１２の右側（＋Ｘ方向）には、略円形の開口部５１２１，５１２２が形成されており、第１ダクト５１１がベースダクト５１２の上方に取付けられることによって、吸気口と開口部５１２１，５１２２とが連通するように流路が形成される。
ベースダクト５１２の左側（−Ｘ方向）は、液晶パネル３５２Ｒ，３５２Ｇ，３５２Ｂの下方まで延出するように形成され、その略中央部には、液晶パネル３５２Ｒ，３５２Ｇ，３５２Ｂに向かって延出する延出部５１２３Ｒ，５１２３Ｇ，５１２３Ｂが設けられている。さらに、延出部５１２３Ｒ，５１２３Ｇ，５１２３Ｂには、液晶パネル３５２Ｒ，３５２Ｇ，３５２Ｂに対応する位置に開口部５１２４Ｒ，５１２４Ｇ，５１２４Ｂがそれぞれ形成されている。
【００３６】
シロッコファン５１４，５１５は、図５、図６に示すように、ベースダクト５１２の下方に配置され、吸入口５１４１，５１５１の位置がそれぞれ開口部５１２１，５１２２の位置に略一致し、吐出口がそれぞれベースダクト５１２の略中央部を向くように配置されている。そして、シロッコファン５１４，５１５は、吸気口を介して吸入口５１４１，５１５１から外気を取り込み、取り込んだ空気を吐出口から送風する。また、シロッコファン５１４，５１５は、制御部の指示に基づいて駆動電圧が変更され、送風する空気の風速を変える。
【００３７】
第２ダクト５１３は、図６に示すように、シロッコファン５１４，５１５の下部にそれぞれの吐出口を覆って配置され、ベースダクト５１２に取付けられることによって、シロッコファン５１４，５１５が送風する空気を開口部５１２４Ｒ，５１２４Ｇ，５１２４Ｂに導く流路を形成している。
また、第２ダクト５１３には、図示しない仕切りが形成されており、この仕切りは、シロッコファン５１４から送風された空気を開口部５１２４Ｇに導く流路と、シロッコファン５１５から送風された空気を開口部５１２４Ｒ，５１２４Ｂに導く流路５１Ａ（図７参照）とに分けている。
【００３８】
開口部５１２４Ｇから排出された空気は、液晶パネル３５２Ｇ、液晶パネル３５２Ｇの光路前段側に配置されている入射側偏光板３５１、および光路後段側に配置されている射出側偏光板３５３を冷却する。そして、開口部５１２４Ｒから排出された空気は、液晶パネル３５２Ｒ、液晶パネル３５２Ｒの光路前段側に配置されている入射側偏光板３５１、および光路後段側に配置されている射出側偏光板３５３を冷却する。同様に、開口部５１２４Ｂから排出された空気は、液晶パネル３５２Ｂ、液晶パネル３５２Ｂの光路前段側に配置されている入射側偏光板３５１、および光路後段側に配置されている射出側偏光板３５３を冷却する。
このように、第１冷却部５１は、シロッコファン５１４，５１５が吸気口から外気を取り込み、取り込んだ空気を冷却対象である液晶パネル３５２Ｒ，３５２Ｇ，３５２Ｂ等の光学部品に送風して冷却する。
【００３９】
風速測定装置６は、シロッコファン５１５から送風される空気の一部が流通し、流通する空気の風速を測定してその測定結果を制御部に伝達する。
風速測定装置６は、図５、図６に示すように、延出部５１２３Ｂの左側（−Ｘ側）に設けられ、測定ダクト部６１、上流風速調整部６２、下流風速調整部６３、および風速測定部６４等を備える。
【００４０】
測定ダクト部６１は、シロッコファン５１５から送風される空気の一部が流通するように構成され、図５、図６に示すように、外形が直方体状に形成されている。そして、測定ダクト部６１は、上部を構成する上ダクト６１１と、下部を構成する下ダクト６１２とを有して構成されている。上ダクト６１１は、ベースダクト５１２に一体的に形成され、下ダクト６１２は、第２ダクト５１３に一体的に形成されている。
下ダクト６１２の底面６１２Ａには、図６に示すように、第１冷却部５１近傍および先端近傍に、角孔６１２１，６１２２がそれぞれ設けられている。
【００４１】
図７は、風速測定装置６および第１冷却部５１の一部の断面を示す図であり、図５における風速測定装置６の先端から延出部５１２３Ｒまでの断面を前側（＋Ｙ方向）から見た図である。
図７に示すように、測定ダクト部６１は、第１冷却部５１側に矩形状の孔（流入口６１３）が設けられ、内部（流路６１Ａ）が流路５１Ａと連通し、シロッコファン５１５から送風される空気の一部が流入する。測定ダクト部６１の先端側（−Ｘ方向）には、内部の空気が流出する矩形状の孔（流出口６１４）が設けられている。また、上ダクト６１１の内面には、角孔６１２１，６１２２に対応する位置に溝６１１１，６１１２が形成されている。
【００４２】
上流風速調整部６２は、上流通気性部材６２１と上流枠６２２とを有して構成され、流入口６１３に配置されている。
上流通気性部材６２１は、平面形状が流入口６１３を覆う大きさの板状をしており、小型の節足動物等の異物の通過を阻止するような形状の通気孔を有する部材、例えば、合成樹脂製の発泡部材、繊維状の材料を絡み合わせた部材、線材をメッシュ状に織り込んだ部材等で形成されている。また、上流通気性部材６２１は、後述する下流通気性部材６３１と共に、シロッコファン５１５から送風される空気の風速を、後述する風速測定部６４が測定可能な風速に低減する通気性の部材が採用されている。
【００４３】
上流枠６２２は、合成樹脂製で、外形が略長方形をしており、上流通気性部材６２１の周縁を囲んで保持する凹部６２２１が形成され、その凹部６２２１の底面には複数の矩形状の孔６２２２が設けられている。
上流風速調整部６２は、角孔６１２１から上方に向かって測定ダクト部６１に挿入され、先端が溝６１１１に嵌合し、上流通気性部材６２１が流入口６１３を覆うように配置される。
また、上流風速調整部６２は、下部がロアーケース２２に設けられた孔から突出し、ロアーケース２２の外部から着脱可能に構成されている。
【００４４】
下流風速調整部６３は、上流風速調整部６２と同様に下流通気性部材６３１と下流枠６３２とを有して構成され、流出口６１４に配置されている。
下流通気性部材６３１は、上流通気性部材６２１と同様に、小型の節足動物等の異物の通過を阻止するような形状の通気孔を有する部材で形成されている。
下流枠６３２は、上流枠６２２と同様に、下流通気性部材６３１を保持する凹部６３２１が形成され、その凹部６３２１の底面には、複数の矩形状の孔６３２２が設けられている。
【００４５】
下流風速調整部６３は、上流風速調整部６２と同様に、角孔６１２２から上方に向かって測定ダクト部６１に挿入され、先端が溝６１１２に嵌合し、下流通気性部材６３１が流出口６１４を覆うように配置される。
また、下流風速調整部６３は、上流風速調整部６２と同様に、下部がロアーケース２２に設けられた孔から突出し、ロアーケース２２の外部から着脱可能に構成されている。
なお、測定ダクト部６１は、ダクト部に相当し、上流風速調整部６２および下流風速調整部６３は、風速調整部に相当する。また、上流風速調整部６２と角孔６１２１との間、および下流風速調整部６３と角孔６１２２との間の隙間を封止するためにゴムやスポンジ等で形成された封止部材を介する構成にすることも可能である。
【００４６】
風速測定部６４は、図７に示すように、流路６１Ａ内、つまり測定ダクト部６１、上流風速調整部６２および下流風速調整部６３によって囲まれるように配置され、測定ダクト部６１を流通する空気の風速を測定する。風速測定部６４には、図示しない流路が設けられており、流路６１Ａ内を流通する空気の一部が流通する。そして、風速測定部６４は、内部に備えられた検知部（図示せず）によって流通する空気の風速を測定し、測定した風速値に応じた信号を出力する。なお、風速測定部６４としては、例えば、ヒータとサーモバイルによる検知部を用いて風速を測定するＭＥＭＳ風量センサ（オムロン社製）を採用できる。
【００４７】
風速測定部６４から出力される信号は、ケーブル６５を介して制御部に伝達される。なお、ケーブル６５は、上ダクト６１１に形成された孔から通されて制御部を構成している回路基板（図示せず）に接続され、この孔には、ケーブル６５との間の隙間を封止するためのゴムやスポンジ等で形成された封止部材６６が配置されている。
【００４８】
次に、風速測定装置６内の空気の流れについて説明する。
シロッコファン５１５から送風された空気は、図７に示すように、開口部５１２４Ｒに向かう流れＦ１、開口部５１２４Ｂに向かう流れＦ２、および流入口６１３に向かう流れＦ３に分かれる。
前述したように、流れＦ１の空気は、液晶パネル３５２Ｒ等の光学部品を冷却し、流れＦ２の空気は、液晶パネル３５２Ｂ等の光学部品を冷却する。
【００４９】
流れＦ３の空気は、上流通気性部材６２１および下流通気性部材６３１が抵抗となるので風速が低下して流路６１Ａに流入する（流れＦ４）。流路６１Ａに流入した空気は、その一部が風速測定部６４に流入し、他は、そのまま流出口６１４から流出する（流れＦ５）。流路６１Ａ内を流通する空気の風速は、シロッコファン５１５から送風される空気の風速、すなわち流路５１Ａを流通する空気の風速に応じて変わるので、風速測定部６４は、その風速に応じた信号を出力する。そして、風速測定部６４を流通した空気は、流出口６１４から流出する（流れＦ５）。
【００５０】
以上説明したように、本実施形態のプロジェクタ１によれば、以下の効果を得ることができる。
（１）本実施形態のプロジェクタ１によれば、風速測定部６４は、測定ダクト部６１、上流風速調整部６２および下流風速調整部６３によって囲まれているので、例えば排気口等から異物が侵入した場合に、その異物がさらに風速測定部６４に侵入することが抑制される。これによって、風速測定部６４は、測定ダクト部６１を流通する空気の風速を安定して測定することが可能となる。
したがって、プロジェクタ１は、風速測定部６４の測定結果に基づいて、液晶パネル３５２Ｒ，３５２Ｂ等の光学部品に、長期に亘って適正に空気を送風するように対応することができる。例えば、吸気口に配置された防塵フィルタの目詰まりを観察して防塵フィルタの交換を促したり、シロッコファン５１５の駆動電圧を適正に制御したりすることが可能となる。このように、プロジェクタ１は、風速測定部６４の測定結果に基づいて、適正に冷却対象に空気を送風するように対応することが可能となり、長寿命化が図れる。
【００５１】
（２）本実施形態のプロジェクタ１によれば、上流風速調整部６２および下流風速調整部６３は、シロッコファン５１５から送風される空気の風速を風速測定部６４が測定可能な風速に低減する。これによって、風速測定部６４は、測定ダクト部６１を流通する空気の風速を安定して測定することが可能となる。
【００５２】
（３）本実施形態のプロジェクタ１によれば、上流風速調整部６２および下流風速調整部６３は、測定ダクト部６１に対して着脱可能に構成されているので、上流通気性部材６２１あるいは下流通気性部材６３１に異物等が積層して通気性が低下した際に交換することができる。これによって、さらにプロジェクタ１の長寿命化を図ることが可能となる。
【００５３】
（４）本実施形態のプロジェクタ１によれば、上流通気性部材６２１および下流通気性部材６３１を変更することで通気性を変え、流路６１Ａに流通する空気の風速を変更することができるので、風速測定部６４の選択肢が広がる。
【００５４】
（変形例）
なお、前記実施形態は、以下のように変更してもよい。
前記実施形態の風速測定装置６は、液晶パネル３５２Ｒ，３５２Ｂ等の光学部品に送風される空気の流路５１Ａに連通するように構成されているが、他の光学部品や電子部品に送風される空気の流路に連通するように構成してもよい。
【００５５】
前記実施形態の上流風速調整部６２は、上流通気性部材６２１と上流枠６２２とが別体に構成されているが、一体的に形成されるように構成してもよい。同様に、下流風速調整部６３は、下流通気性部材６３１と下流枠６３２とが一体的に形成されるように構成してもよい。
【００５６】
前記実施形態の第２ダクト５１３および下ダクト６１２は、ロアーケース２２と別体に構成されているが、一体的に構成してもよい。
【００５７】
風速測定部６４への異物の侵入をさらに抑制するために、排気口に異物の通過を阻止するような形状の通気孔を有する部材を配置するように構成してもよい。その例を図８を用いて説明する。
図８は、左サイドケース２４および排気枠ユニットを示す斜視図である。
図８に示すように、排気枠ユニット２４１は、網目状部材２４２および排気枠２４３を有して構成され、左サイドケース２４の外側に排気口を覆うように配置されている。排気枠ユニット２４１は、図示しない係合部、ネジ等によって、左サイドケース２４に対して着脱可能に取付けられている。
網目状部材２４２は、線状の金属や高耐熱樹脂がメッシュ状に織り込まれてシート状に形成されており、異物の通過を阻止すると共に、外装筐体２内の空気を排出可能な通気性を有している。排気枠２４３は、網目状部材２４２を保持し、矩形状の通気孔が複数設けられている。
このように、排気枠ユニット２４１を備えることによって、風速測定部６４への異物の侵入をさらに抑制することが可能となる。
【００５８】
前記実施形態のプロジェクタ１は、光変調装置として透過型の液晶パネル３５２を用いているが、反射型の液晶パネルを利用したものであってもよい。また、光変調装置は、マイクロミラーアレイを用いたデバイス等を使用したものであってもよい。
【００５９】
前記実施形態のプロジェクタ１は、光源３１１として放電型の光源によって構成されているが、ＬＥＤ光源等の固体光源や、その他の光源を用いることもできる。
【図面の簡単な説明】
【００６０】
【図１】本実施形態のプロジェクタを右前方上側から見た斜視図。
【図２】本実施形態のプロジェクタを左前方上側から見た斜視図。
【図３】本実施形態のプロジェクタの内部構成を示す斜視図。
【図４】光学ユニットを模式的に示す図。
【図５】第１冷却部を上方から見た斜視図。
【図６】第１冷却部を下方から見た斜視図。
【図７】風速測定装置および第１冷却部の断面を示す図。
【図８】左サイドケースおよび排気枠ユニットを示す斜視図。
【符号の説明】
【００６１】
１…プロジェクタ、２…外装筐体、３…光学ユニット、４…電源ユニット、５…冷却ユニット、６…風速測定装置、３１…光源装置、３５…電気光学装置、３６…投写レンズ、５１…第１冷却部、５１Ａ，６１Ａ…流路、５２…第２冷却部、５３…第３冷却部、５４…排気ユニット、６１…測定ダクト部、６２…上流風速調整部、６３…下流風速調整部、６４…風速測定部、３１１…光源、３５１…入射側偏光板、３５２，３５２Ｒ，３５２Ｇ，３５２Ｂ…液晶パネル、３５３…射出側偏光板、３５４…クロスダイクロイックプリズム、５１４，５１５…シロッコファン、６１１…上ダクト、６１２…下ダクト、６１３…流入口、６１４…流出口、６２１…上流通気性部材、６２２…上流枠、６３１…下流通気性部材、６３２…下流枠。
【図１】
2009282095.tif 000003
【図２】
2009282095.tif 000004
【図３】
2009282095.tif 000005
【図４】
2009282095.tif 000006
【図５】
2009282095.tif 000007
【図６】
2009282095.tif 000008
【図７】
2009282095.tif 000009
【図８】
2009282095.tif 000010